(57)【要約】      （修正有）【課題】絶壁頭であることがわかりにくく見栄えよく被ることを可能とするスイミングキャップを提供する。                  【解決手段】後頭部が絶壁で扁平になっている部分を補うためにスイミングキャップ６の裏側後頭部にメッシュ状のポケット４を設けそこに扁平エリアを補うだけのボリュームと丸みを持たせた弾性体系のパッド２を挿入し装着、その構成によりキャップが頭にフイットしても後頭部の扁平部分はパッドと同様の形状となり外見上絶壁頭であることがわかりにくくすることができるようにスイミングキャップを構成する。【選択図】図１
0003154241.tif 000002
【実用新案登録請求の範囲】
【請求項１】
後頭部が絶壁で偏平になっている部分を補うためにスイミングキャップの裏側後頭部にメッシュ状のポケットを設けそこに扁平エリアを補うだけのボリュームと丸みを持たせた弾性体系のパッドを挿入し装着、その構成によりキャップが頭にフイットしても後頭部の偏平部分はパッドと同様の形状となり外見上絶壁頭であることがわかりにくくすることができるスイミングキャップである。
【請求項２】
見栄えよく格好よく被れるようにパッドは自分の好きな形やサイズに合わせカットして装着することもできるスイミングキャップである。
【請求項３】
このパッドは取り外しもできるので洗うことも可能なスイミングキャップである。      
【考案の詳細な説明】
【技術分野】
【０００１】
本考案は後頭部がいわゆる絶壁型になっている人がスイミングキャップを被った際、ピッタッリと頭にフイットしてしまいその絶壁部分がそのまま外見に露出され非常に見栄えが悪い。そこでキャップの裏側にそれを補うパッドなるものを装着し外見上絶壁頭であることがわかりにくく、しかも後頭部の形も好み通りに整えられるというスイミングキャップに関するものである。
【背景技術】
【０００２】
既存のスイミングキャップは、人それぞれの頭の形に関係なくデザイン製造されしかも伸縮性なるものが主流であり、これを絶壁頭になっている人が被るとピッタリと頭にフイットしてしまい頭の形状がそのまま露出されるため後頭部が偏平になり見栄えが悪いという欠点があった。そのため着用することに抵抗感や恥ずかしいというコンプレックスを持ち悩んでいる人たちは結構多く、しかしこの要望に応えるべく代替品やアクセサリーなどは無くやむなく被らざるを得ないというのが現状であった。        
【０００３】
しかもプール内ではキャップ着用を義務付けしているところが多く、特に幼少年期の学校内では頭の形状でイジメの要因のひとつにもなっていることもあり中にはプールの時間は憂鬱だという悩みを背負っている児童もいる。
【先行技術文献】
【特許文献】
【０００４】
【特許文献１】実開平０４−０８３３５２号公報
【考案の概要】
【考案が解決しようとする課題】
【０００５】
解決しようとする問題点はスイミングキャップを被った際、後頭部が絶壁で偏平になった部分をいかに素材を用いて補うか、且つ外見上素材を装着していることがわかりにくくし違和感なくしかも快適に着用できるかである。
【課題を解決するための手段】
【０００６】
そこで本考案はこのような悩みを持つ人への解消策として、キャップ後頭部の裏側にメッシュ状のポケットを設けそこに偏平部分を補うだけのボリュームと丸みを持たせた弾性体系の素材でできたパッドを挿入し構成させることにより、偏平部分がパッドと同様の形状となり外見から見ても絶壁頭であることもパッドを装着していることもわからないようにすることを特徴とする。
【考案の効果】
【０００７】
本考案のスイミングキャップを被れば、絶壁頭で帽子が似合わないと悩んでいる人やイジメなどに遭遇することを恐れ水泳が嫌いになったりすることもなく、人前でも自身を持って着用でき快適なスイミングライフを送れるようになる。
【０００８】
このパッドはキャップの機能やデザインを損なうことなくしかも裏側に設けたポケットに容易に挿入し抜くこともできるので洗濯や乾すときも簡単で清潔を保てるという利点もある。
【図面の簡単な説明】
【０００９】
【図１】は絶壁頭のライン１とパッド２の断面図である。
【図２】はキャップ後頭部裏側にあるポケット４にパッド２を装着した図である。
【図３】はパッドの正面図である。
【図４】はパッドの断面図である。
【図５】はパッドの斜視図である。
【図６】はパッド２を収納するポケット４である。
【図７】は絶壁頭にスイミングキャップを着用している図である。
【図８】は絶壁頭に本考案のキャップを着用した図である。
【考案を実施するための形態】
【００１０】
絶壁で偏平になる後頭部分を素材で補うという目的は、キャップの裏側後頭部に設けたメッシュ状のポケットに絶壁エリアを補うだけのボリュームと丸みのある弾性体系のパッドを挿入しこれを着用すれば絶壁で偏平になった部分はパッド同様の形状となるので外見から見ても絶壁頭であることがわかりにくくなる。  
【産業上の利用可能性】
【００１１】
後頭部が絶壁で偏平になっている人がスイミングキャップを被った際、後頭部分の見栄えを気にしている人は結構多く特に幼少年期にはイジメなどの要因にもなっていることもありプールの時間が憂鬱という児童もいる。しかしながら既存のキャップではそれを解消できる代替品やアクセサリーなどはなく自分の頭の形に合わせて作ろうにも高価になってしまう。本考案はそんな人のために頭にピッタリとフイットしても外見上絶壁頭であることがわかりにくく見栄えよく着用でき快適にスイミングライフを楽しむことができる。しかも取り付け外しも容易であり、単純で安価な素材で提供することができる所望品である。          
【符号の説明】
【００１２】
１    後頭部の絶壁偏平ライン
２    本考案のパッド
３    キャップ後頭部
４    キャップ裏側に設けたパッドを収納するポケット
５    パッドを挿入するポケットの開閉口
５a ・５b    ポケットの左右口
６    スイミングキャップ   
【図１】
0003154241.tif 000003
【図２】
0003154241.tif 000004
【図３】
0003154241.tif 000005
【図４】
0003154241.tif 000006
【図５】
0003154241.tif 000007
【図６】
0003154241.tif 000008
【図７】
0003154241.tif 000009
【図８】
0003154241.tif 000010
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
後頭部が絶壁で扁平になっている部分を補うためにスイミングキャップの裏側後頭部にメッシュ状のポケットを設けそこに扁平エリアを補うだけのボリュームと丸みを持たせた弾性体系のパッドを挿入し装着、その構成によりキャップが頭にフイットしても後頭部の扁平部分はパッドと同様の形状となり外見上絶壁頭であることがわかりにくくすることができるスイミングキャップ。
【請求項２】
見栄えよく格好よく被れるようにパッドは自分の好きな形やサイズに合わせカットして装着できることを特徴とする請求項１に記載のスイミングキャップ。
【請求項３】
装着するパッドは取り外しもできるので洗うことも可能なことを特徴とする請求項１記載のスイミングキャップ。